(57)【要約】【課題】ユーザが過去に閲覧したウェブページについての情報を利用してリンク先へのカーソル制御を行うことで、煩雑な動作を解消させ利便性を向上させた携帯端末装置を提供すること。【解決手段】リンク情報を含むウェブページ情報を取得するウェブページ情報取得部と、前記取得したウェブページ情報に基づいてウェブページを表示する表示部と、ウェブページの閲覧履歴情報を保持する閲覧履歴情報保持部と、前記表示するウェブページ内のカーソル位置を、前記リンク情報に基づいて表示されるリンク毎に移動させる制御を前記保持される閲覧履歴情報に基づいて行うカーソル制御部と、を有する携帯端末装置を提供する。【選択図】図１
2009059142.tif 000002
【特許請求の範囲】
【請求項１】
リンク情報を含むウェブページ情報を取得するウェブページ情報取得部と、
前記取得したウェブページ情報に基づいてウェブページを表示する表示部と、
ウェブページの閲覧履歴情報を保持する閲覧履歴情報保持部と、
前記表示するウェブページ内のカーソル位置を、前記リンク情報に基づいて表示されるリンク毎に移動させる制御を前記保持される閲覧履歴情報に基づいて行うカーソル制御部と、
を有する携帯端末装置。
【請求項２】
カーソル制御部は、
閲覧済みのリンク先にのみカーソル位置を移動させることを特徴とする請求項１に記載の携帯端末装置。
【請求項３】
カーソル制御部は、
未閲覧のリンク先にのみカーソル位置を移動させることを特徴とする請求項１に記載の携帯端末装置。
【請求項４】
表示部は、
前記閲覧済みのリンクに関しては、リンク表示を行わない非リンク表示手段を有する請求項３に記載の携帯端末装置。
【請求項５】
さらにカーソルキーを有する携帯端末装置であって、
カーソル制御部は、カーソルキーの長押し入力をトリガーとして前記制御を行う請求項１から４のいずれか一に記載の携帯端末装置。
【請求項６】
前記制御のトリガーとなるキーを、カーソルキーとは別に有する請求項１から４のいずれか一に記載の携帯端末装置。
【請求項７】
カーソル位置の移動先のリンク数の入力を受付ける移動リンク数入力受付部を有し、
カーソル制御部は、
入力を受付けたリンク数分先にカーソル位置を移動させる制御を行う複数リンク制御手段を有する請求項１から６のいずれか一に記載の携帯端末装置。
【請求項８】
閲覧履歴情報保持部は、
ウェブページの閲覧履歴情報と、閲覧した日時情報とを関連付けて保持する日時付閲覧履歴情報保持手段と、
所定期間を経過したウェブページの閲覧履歴情報を無効とする第一無効手段と、
を有する請求項１から７のいずれか一に記載の携帯端末装置。
【請求項９】
ウェブページの更新日時情報を含むウェブページ更新情報を取得する更新情報取得部と、を有し、
前記履歴情報保持部は、
ウェブページの閲覧履歴情報と、閲覧した日時情報とを関連付けて保持する日時付閲覧履歴情報保持手段と、
日時付閲覧履歴情報と、ウェブページ更新情報と、を比較してウェブページ更新情報の方が新しい場合にはそのウェブページの閲覧履歴情報を無効とする第二無効手段と、
を有する請求項１から７のいずれか一に記載の携帯端末装置。
【請求項１０】
ウェブページの閲覧履歴情報を保持する閲覧履歴情報保持部を有する携帯端末装置の動作方法であって、
リンク情報を含むウェブページ情報を取得するウェブページ情報取得ステップと、
前記取得したウェブページ情報に基づいてウェブページを表示する表示ステップと、
前記表示するウェブページ内のカーソル位置を、前記リンク情報に基づいて表示されるリンク毎に移動させる制御を前記保持される閲覧履歴情報に基づいて行うカーソル制御ステップと、
を有する携帯端末装置の動作方法。
【請求項１１】
カーソル制御ステップは、
閲覧済みのリンク先にのみカーソル位置を移動させることを特徴とする請求項１０に記載の携帯端末装置の動作方法。
【請求項１２】
カーソル制御ステップは、
未閲覧のリンク先にのみカーソル位置を移動させることを特徴とする請求項１０に記載の携帯端末装置の動作方法。
【請求項１３】
表示ステップは、
前記閲覧済みのリンクに関しては、リンク表示を行わないことを特徴とする請求項１２に記載の携帯端末装置の動作方法。
【請求項１４】
さらにカーソルキーを有する携帯端末装置の動作方法であって、
カーソル制御ステップは、カーソルキーの長押し入力をトリガーとして前記制御を行う請求項１１から１５のいずれか一に記載の携帯端末装置の動作方法。
【請求項１５】
前記制御のトリガーとなるキーを、カーソルキーとは別に有する携帯端末装置の動作方法であって、
カーソル制御ステップは、前記カーソルキーとは別に有するキーの入力をトリガーとして前記制御を行う請求項１０から１４のいずれか一に記載の携帯端末の動作方法。
【請求項１６】
カーソル位置の移動先のリンク数の入力を受付ける移動リンク数入力受付ステップを有し、
カーソル制御ステップは、
入力を受付けたリンク数分先にカーソル位置を移動させる制御を行う複数リンク制御ステップを有する請求項１０から１５のいずれか一に記載の携帯端末装置の動作方法。
【請求項１７】
ウェブページの閲覧履歴情報と、閲覧した日時情報とを関連付けて記録媒体に書き込む日時付閲覧履歴情報書込ステップと、
所定期間を経過したウェブページの閲覧履歴情報を無効とする第一無効ステップと、
を有する請求項１０から１６のいずれか一に記載の携帯端末装置の動作方法。
【請求項１８】
ウェブページの更新日時情報を含むウェブページ更新情報を取得する更新情報取得ステップと、
ウェブページの閲覧履歴情報と、閲覧した日時情報とを関連付けて記録媒体に書き込む日時付閲覧履歴情報書込ステップと、
日時付閲覧履歴情報と、ウェブページ更新情報と、を比較してウェブページ更新情報の方が新しい場合にはそのウェブページの閲覧履歴情報を無効とする第二無効ステップと、
を有する請求項１０から１７のいずれか一に記載の携帯端末装置の動作方法。
【発明の詳細な説明】
【技術分野】
【０００１】
本発明は、リンク情報を含むウェブページを表示する携帯端末装置に関する。
【背景技術】
【０００２】
近年、携帯電話やＰＤＡ（Personal Digital Assistants）などの携帯端末装置を用いてウェブページを閲覧することが行われている。そして、これらの携帯端末装置においては、ウェブページ内に表示される各リンク毎にカーソル位置をジャンプ移動させて、ユーザに対してリンク先を容易に知らしめる方法が採用されている（例えば、特許文献１参照）。
【特許文献１】特開２００５−１１５４７６号公報
【発明の開示】
【発明が解決しようとする課題】
【０００３】
しかしながら、従来技術のように単に各リンク毎にカーソル位置をジャンプ移動させるような制御を行う場合には、リンク情報が多く含まれるページを閲覧する場合にはユーザにとって煩雑な処理が必要となっていた。特に、携帯端末装置のように画面が小さく、操作ボタンもあまり大きくない場合には、何度も小さい画面を確認しながらカーソルキーを何度も押下して希望するリンク先までジャンプしなければならないため、リンク先のページにアクセスする際にストレスを感じてしまうことも少なくなかった。
【０００４】
そこで、本発明は、かかる課題に鑑みてなされたものであり、ユーザが過去に閲覧したウェブページについての情報を利用してリンク先へのカーソル制御を行うことで、煩雑な動作を解消させ利便性を向上させた携帯端末装置を提供することを目的とする。
【課題を解決するための手段】
【０００５】
そこで、本発明においては、かかる課題を解決するために、リンク情報を含むウェブページ情報を取得するウェブページ情報取得部と、前記取得したウェブページ情報に基づいてウェブページを表示する表示部と、ウェブページの閲覧履歴情報を保持する閲覧履歴情報保持部と、前記表示するウェブページ内のカーソル位置を、前記リンク情報に基づいて表示されるリンク毎に移動させる制御を前記保持される閲覧履歴情報に基づいて行うカーソル制御部と、を有する携帯端末装置を提供する。閲覧履歴情報に基づいてカーソル制御をすることで、閲覧済みのリンク先にのみカーソル位置を移動させたり、未閲覧のリンク先にのみカーソル位置を移動させたりする制御を行うことができる。
【０００６】
この他、閲覧済みのリンクについては、リンク表示（例えば、文字色を変えてアンダーラインを示した強調表示）を行わなくさせてもよい。また、リンク先への移動入力トリガーとしてカーソルキーの長押しによってカーソル移動させてもよいし、あるいは、カーソルキーとは別個のキーボタンを設け、これによってカーソル移動させてもよい。また、移動先のリンク数の入力を受付けて、その入力分先のリンク先にカーソル位置を移動させてもよい。
【０００７】
また、閲覧履歴情報と閲覧した日時情報を関連付けて保持しておき、所定期間を経過したウェブページの閲覧履歴情報を無効とする制御を行ってもよい。また、ウェブページ更新情報を取得し、閲覧した日時情報とウェブページ更新情報を比較してウェブページ更新情報の方が新しい場合には、そのウェブページ閲覧履歴情報を無効とする処理を行ってもよい。
【発明の効果】
【０００８】
本発明によれば、リンク先へのカーソル移動制御を行う際にウェブページの閲覧履歴情報に基づいてカーソル位置を移動制御させるため、ユーザに対して煩雑な動作を解消させたり、操作性を高めて利便性を向上させたりすることができる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施し得る。
【００１０】
なお、以下の実施形態と請求項の関係は次の通りである。
実施形態１では、主に請求項１、２、３、１０、１１、１２などについて説明する。
実施形態２では、主に請求項４、１３などについてについて説明する。
実施形態３では、主に請求項５、６、１４、１５などについて説明する。
実施形態４では、主に請求項７、１６などについて説明する。
実施形態５では、主に請求項８、１７などについて説明する。
実施形態６では、主に請求項６、１８などについて説明する。
【００１１】
<<実施形態１>>
【００１２】
<実施形態１の概要>
【００１３】
本実施形態は、ウェブページの閲覧履歴情報に基づいてウェブページのカーソル位置の移動制御を行う携帯端末装置及びその動作方法に関するものである。
【００１４】
<実施形態１の構成>
【００１５】
図１に本実施形態における機能ブロックの一例を示す。図１に示す本実施形態の「携帯端末装置」（０１００）は、「ウェブページ情報取得部」（０１０１）と、「表示部」（０１０２）と、「閲覧履歴情報保持部」（０１０３）と、「カーソル制御部」（０１０４）と、を有する。
【００１６】
本件発明の構成要素である各部は、ハードウエア、ソフトウェア、ハードウエアとソフトウェアの両者、のいずれかによって構成される。例えば、これらを実現する一例として、コンピュータを利用する場合には、ＣＰＵ、メモリ、バス、インタフェース、周辺装置などから構成されるハードウエアと、これらのハードウエア上にて実行可能なソフトウェアを挙げることができる。具体的には、メモリ上に展開されたプログラムを順次実行することで、メモリ上のデータや、インタフェースを介して入力されるデータの加工、蓄積、出力などにより各部の機能が実現される（本明細書の全体を通じて同様である）。
【００１７】
「携帯端末装置」０１００は、主に利用者が携帯して使用する端末装置のことであり、具体的には携帯電話やＰＤＡなどが挙げられる。
【００１８】
「ウェブページ情報取得部」０１０１は、リンク情報を含むウェブページ情報を取得する。リンク情報とは、例えばＨＴＭＬ形式やＸＭＬ形式などにおけるハイパーリンクを示す情報のことである。ウェブページ情報とは、ハイパーリンクなどが含まれているウェブページの情報のことであり、具体例としては、ＨＴＭＬファイルやＸＭＬファイルが挙げられる。もちろん、この他、ウェブページ情報は携帯電話用のＨＴＭＬファイルであってもよいしＦＬＡＳＨ（登録商標）ファイルであってもよい。
【００１９】
「表示部」０１０２は、前記取得したウェブページ情報に基づいてウェブページを表示する。表示部では、例えばＨＴＭＬ文書などに含まれるリンク情報を含む各種タグ情報などに基づいてウェブページを表示する処理が行われる。
【００２０】
「閲覧履歴情報保持部」０１０３は、ウェブページの閲覧履歴情報を保持する。ウェブページの閲覧履歴情報とは、既に閲覧をしたページを示す情報のことである。図２は、閲覧履歴情報の一例を示す図である。図２においてはユーザが過去に閲覧した履歴に関する情報がリスト化されている様子を示している。なお、後の実施形態で説明するように、閲覧履歴情報には、ウェブページを閲覧した日時情報が関連付けられていてもよい。また、閲覧してから所定期間を経過したウェブページについては、その閲覧履歴を削除する処理を行ってもよい。
【００２１】
「カーソル制御部」０１０４は、前記表示するウェブページ内のカーソル位置を、前記リンク情報に基づいて表示されるリンク毎に移動させる制御を前記保持される閲覧履歴情報に基づいて行う。携帯端末装置などでは従来技術で説明したように、リンク先にのみカーソル位置を移動させる制御を行う技術が行われているものであるが、本実施形態における携帯端末装置においては、リンク毎にカーソル位置を移動させる制御を保持される閲覧履歴情報に基づいて行うものである。具体的には、カーソル制御部は、閲覧済みのリンク先にのみカーソル位置を移動させてもよいし、未閲覧のリンク先にのみカーソル位置を移動させてもよい。前者の閲覧済みのリンク先にのみカーソル位置を移動させる場合は、例えば特定のリンク先のみを恒常的に閲覧する利用者にとって効率的なカーソル位置の移動制御となる。また、後者の未閲覧のリンク先にのみカーソル位置を移動させる場合は、単発的に訪問するウェブページを閲覧しようとする利用者にとって効率的なカーソル位置の移動制御となる。なお、閲覧済みのリンク先にのみカーソル位置を移動させるか、未閲覧のリンク先にのみにカーソル位置を移動させるかはユーザが選択設定可能となっていてもよい。あるいは、閲覧履歴情報と連動していずれかの選択設定を行っても良い。例えば、取得して表示すべきウェブページ自体の閲覧履歴が既に存在している場合には、未閲覧のみのリンク先へとカーソル位置を移動制御させる設定を行い、取得して表示すべきウェブページ自体の閲覧履歴が存在していない場合には、閲覧済みのリンク先のみカーソル位置を移動させる設定を行ってもよい。
【００２２】
カーソル位置の移動制御については、従来の携帯端末装置のように例えばカーソルキーの押下をトリガーとして各リンク毎にカーソル位置を移動させる通常制御を行ってもよく、この通常制御にさらに追加して本実施形態で説明した制御機能を有していてもよい。本実施形態のカーソル位置の移動制御処理においては、例えば閲覧履歴情報に含まれるＵＲＬの情報と、リンク情報に含まれるＵＲＬの情報とを比較して、両者が一致しているリンク部分については、カーソル位置移動の対象としない処理を加えることでカーソル位置の移動制御を行う。
【００２３】
図３は、携帯端末装置の表示画面の一例を示す図である。図３においては、リンク情報が含まれている箇所については、大文字・アンダーラインによって強調表示がされている。そして、斜体文字となっている部分（ＤＤＤとＧＧＧ）は既に閲覧をしたことがあるリンク先を示している。従来のカーソル位置移動制御では、図３においては、ＡＡＡというリンク先の後には、未閲覧・閲覧済を考慮せずにそのままＤＤＤ・ＦＦＦ・ＧＧＧといった具合にリンク先へとカーソル位置を移動させていたが、本実施形態においては閲覧履歴情報を利用することで、未閲覧のみ、あるいは、閲覧済のみのリンク先へとカーソル位置を移動制御することが可能となるのである。図３の例で具体的に説明すると、未閲覧のリンク先にカーソル位置を移動させる制御をする場合には、現在のＡＡＡの位置から、カーソル位置移動入力を１回行うと、閲覧済みのＤＤＤのリンクを飛ばしてＦＦＦのリンクにカーソル位置が移動することになる。
【００２４】
<実施形態１の処理の流れ>
【００２５】
図４は、実施形態１における処理の流れの一例を示す図である。図４は、実施形態１での処理の流れの一例を示したものである。本実施形態における処理は、以下に示すステップよりなる。なお、以下に示す処理の流れは、計算機に実行させるためのプログラム、またはそのプログラムが記録された読み取り可能な記録媒体として実施され得る（以下、本明細書における処理の流れの記載についても同様である）。
【００２６】
まず、リンク情報を含むウェブページ情報を取得する（Ｓ０４０１）。ウェブページ情報は、例えばインターネットなどのネットワークを介して受信した情報をメモリなどから取得する。次に、閲覧履歴情報を取得する（Ｓ０４０２）。なお、Ｓ０４０２はＳ０４０１よりも前に実行されてもよい。次に、Ｓ０４０１にて取得したウェブページ情報に基づいてウェブページを表示する（Ｓ０４０３）。Ｓ０４０３にてウェブページを表示する場合には、後の実施形態で説明するように閲覧履歴情報にも基づいてウェブページを表示してもよい。
【００２７】
次に、カーソル位置を移動させる入力がユーザからなされたかを判断する（Ｓ０４０４）。ユーザからカーソル位置を移動させる入力（例えば、カーソルキー入力）があった場合には、Ｓ０４０５に進み、表示するウェブページ内のカーソル位置をリンク情報に基づいて表示されるリンク毎に移動させる制御を閲覧履歴情報に基づいて行う。例えば、先に説明したように閲覧履歴情報に含まれるＵＲＬとリンク情報に含まれるＵＲＬとを比較して、一致したＵＲＬについては通常のカーソル位置移動制御の対象外とする処理を行い、その後、対象外となったリンクを除いた各リンクにカーソル位置を移動制御する。そして、その後Ｓ０４０４の処理を繰り返し行う。また、ユーザからリンク先へのページ移動入力がされた場合には（Ｓ０４０６）、Ｓ０４０１に戻り、再度新たなウェブページ情報を取得する処理が行われる。なお、ユーザからのその他の制御入力があった場合には、様々な処理が行われることになるが、図４においてはその説明は省略する。
【００２８】
<実施形態１の具体的構成態様>
【００２９】
図５は、実施形態１における携帯端末装置の具体的構成態様の一例を示す図である。なお、後の実施形態にて説明する構成についても共通の構成態様を採ることができる。
【００３０】
携帯端末装置は、ウェブページ情報取得部としてのネットワークＩ／Ｆ０５０４、表示部としてのＣＰＵ０５０１、ビデオメモリ０５０８、履歴情報保持部としてのＲＡＭ０５０３、カーソル制御部としてのＣＰＵ０５０１、ＲＯＭ０５０２、ＲＡＭ０５０３、ビデオメモリ０５０８、その他、ディスプレイ０５０６、ユーザ入力Ｉ／Ｆ０５０９などから構成される。
【００３１】
以下、具体的な動作例について説明する。ＣＰＵはＲＯＭやＲＡＭなどに格納されるプログラムファイルに従って、各種の制御を実行する。まず、ユーザ入力Ｉ／Ｆを介してユーザからのウェブページ情報取得命令が入力されると、ＣＰＵは所定のプログラムに従って、ウェブサイトに対してウェブページの送信要求をネットワークＩ／Ｆを介して出力させる制御をする。そして、ＣＰＵはこれに応じてネットワークＩ／Ｆにて受信したウェブページ情報をＲＡＭに一時的に書き込み記憶させる。なお、この際に、ＣＰＵはＲＡＭの所定記憶領域に格納されている履歴情報テーブルに対して取得したウェブページ情報を追記する。そして、ＣＰＵは取得したウェブページ情報をビデオメモリに展開してディスプレイに表示される制御を行う。なお、ＣＰＵは、ウェブページ情報に含まれるリンク情報と履歴情報テーブルとを比較して、各種の表示制御を行ってもよい。その後、ユーザ入力Ｉ／Ｆを通じてユーザから本実施形態に係るカーソル位置の移動制御命令が入力されると、ＣＰＵは、リンク先の情報と、履歴情報テーブルとを比較して、閲覧済みのリンク先にのみ、あるいは、未閲覧のリンク先にのみ、カーソル位置を移動させる制御を行う。なお、ユーザ入力Ｉ／Ｆから、従来のように単にリンク毎にカーソル位置を移動制御させる命令が入力された場合には、従来どおりの動作を行ってもよいことはもちろんである。
【００３２】
<実施形態１の効果>
【００３３】
本実施形態においては、ウェブページの閲覧履歴情報に基づいて、ウェブページ内のカーソル位置をリンク情報に基づいて表示されるリンク毎に移動させる制御を行うことにより、ユーザに対して煩雑な動作を解消させたり、操作性を高めて利便性を向上させたりすることができる。
【００３４】
<<実施形態２>>
【００３５】
<実施形態２の概要>
【００３６】
実施形態２における携帯端末装置は、既に閲覧したリンクについてはアンダーラインを付すなどのリンク表示を行わない制御を行うことを特徴とする。
【００３７】
<実施形態２の構成>
【００３８】
図６に本実施形態における機能ブロックの一例を示す。図６に示す本実施形態の「携帯端末装置」（０６００）は、「ウェブページ情報取得部」（０６０１）と、「表示部」（０６０２）と、「閲覧履歴情報保持部」（０６０３）と、「カーソル制御部」（０６０４）と、を有する。表示部０６０２は、「非リンク表示手段」（０６０５）を有する。非リンク表示手段０６０５を除く各構成については実施形態１で説明したものと同様であるため、ここでの説明は省略する。
【００３９】
「非リンク表示手段」０６０５は、表示部が有しているものであり前記閲覧済みのリンクに関しては、リンク表示を行わない。「リンク表示」とは、リンクがある旨を示す表示のことであり、一般的にはアンダーラインが付されたり文字色が異なるなどの強調表示がなされるものである。その他にも、ポップアップ表示のように別途ウインドウを作成して表示しても良い。この非リンク手段は、特に実施形態１の中で説明した、未閲覧のリンク先にのみにカーソル位置を移動させる際に行われることになる。すなわち、未閲覧のリンク先にのみカーソル位置を移動させる制御を行う場合には、通常の場合には既に閲覧したリンク先についてもリンク表示がなされることになるが、カーソル位置が当該既に閲覧したリンク先については移動しないため、利用者の利便性を向上させるべく、リンク表示を行わない制御をすることができる。具体的には、ウェブページ情報の中のリンク情報と、閲覧履歴情報とを比較して、閲覧済みのリンク先については、リンク表示を行わないように制御をする。図７は、リンク表示を行わない表示画面の一例を示す図である。図７（ｂ）は、図７（ａ）で示した表示画面の中から閲覧済みのリンク先についてはリンク表示（本図の場合には、大文字アンダーライン）を行っていないことを示している。
【００４０】
なお、非リンク表示手段は、過去に一度でも視聴したことがある閲覧履歴情報を有しているリンク先について非リンク表示処理を行ってもよいし、あるいは、閲覧してから一定期間が経過するまでの間のリンク先に関してのみ非リンク表示処理を行うとしてもよい。また、例えば「戻る」ボタン等の押下によって再度ページを表示させるような特定の処理あるいは特定ボタンの押下の際には、再度表示されたページにて先のページを示すリンク先については非表示とする処理を行ってもよい。
【００４１】
<実施形態２の処理の流れ>
【００４２】
図８は、実施形態２における処理の流れの一例を示す図である。図８においてＳ０８０３とＳ０８０５で示す処理を除く他の処理については、実施形態１で説明したものと同様であるため、ここでの説明は省略する。Ｓ０８０３においては、Ｓ０８０１にて取得したウェブページ情報に基づいて、閲覧済みのリンクに関してはリンク表示を行わずにウェブページを表示する。例えば、閲覧履歴情報に含まれるＵＲＬとリンク情報に含まれるＵＲＬとを比較して、一致した場合には、当該ＵＲＬ部分については、リンク表示の対象としない処理を行う。また、Ｓ０８０５においては、未閲覧のリンク先にのみカーソル位置を移動させる制御を行う処理が行われる。
【００４３】
<実施形態２の効果>
【００４４】
本実施形態においては、閲覧済みのリンクに関してはリンク表示を行わないため、カーソル位置が移動しない部分についてもリンク表示がされているといった違和感をユーザに与えないで済む。
【００４５】
<<実施形態３>>
【００４６】
<実施形態３の概要>
【００４７】
本実施形態は、実施形態１又は２を基本としたものであり、ユーザがカーソル位置の移動制御を入力するトリガーに関するものである。
【００４８】
<実施形態３の構成>
【００４９】
図９は、携帯端末装置の具体的な一例としての携帯電話０９００を示す図である。ユーザがカーソル位置の移動制御を入力するトリガーとしては様々な態様が挙げられる。例えば、第一の態様としては、従来のカーソル位置移動にて用いられているカーソルキー０９０１を利用する態様が挙げられる。カーソル制御部は、カーソルキー０９０１のカーソルキーの長押し入力をトリガーとして先の実施形態で説明したカーソル位置の移動制御を行う。また、第二の態様としては、カーソル位置の移動制御のトリガーとなるキーを、カーソルキーとは別に有する。例えば、図９の例では、「＃」のキー０９０２にカーソル位置の移動制御のトリガーとなるキーを関連付けておくことも可能である。さらに、第三の態様としては、カーソル位置の移動制御を入力するトリガーとして、ユーザがメニュー表示上の特定項目を選択することをトリガーとする、又は、左記選択後に特定キーを押下することをトリガーとする、というものであっても良い。例えば、図９の例において、ウェブキー（０９０３）の押下によるメニュー表示の項目の中に「カーソル位置移動制御」項目を設け、ユーザがその項目を選択することをトリガーとする、または、その項目を選択した後に特定キー（例えばカーソルキー）を押下することをトリガーとする、というものであっても良い。
【００５０】
<実施形態３の効果>
【００５１】
従来行われている全てのリンク毎にカーソル位置を移動させる機能と、実施形態１・２で説明したような閲覧履歴情報を利用したカーソル位置のスキップ機能と、を併用して使用することができるため、ユーザとしては、自身の使用に即してカーソル位置の移動制御方法を適宜変更して実行することができる。このため、利便性を向上させることができる。
【００５２】
<<実施形態４>>
【００５３】
<実施形態４の概要>
【００５４】
本実施形態は、実施形態３で説明したユーザからのカーソル位置移動制御の入力トリガーに関連するものであり、移動先のリンク数の入力を受け付けて、その受け付けた数分先のリンク先へとカーソル位置を移動制御させることを特徴とするものである。
【００５５】
<実施形態４の構成>
【００５６】
図１０に本実施形態における機能ブロックの一例を示す。図１０に示す本実施形態の「携帯端末装置」（１０００）は、「ウェブページ情報取得部」（１００１）と、「表示部」（１００２）と、「閲覧履歴情報保持部」（１００３）と、「カーソル制御部」（１００４）と、「移動リンク数入力受付部」（１００５）と、を有する。カーソル制御部１００４は、「複数リンク制御手段」（１００６）と、を有する。なお、移動リンク数入力受付部１００５と、複数リンク制御手段１００６と、を除く各構成については、実施形態１で説明したものと同様であるため、ここでの説明は省略する。また、実施形態２又は３で説明した構成を基本として移動リンク数入力受付部１００５と、複数リンク制御手段１００６と、を有する構成を有してもよい。
【００５７】
「移動リンク数入力受付部」１００６は、カーソル位置の移動先のリンク数の入力を受付ける。例えば携帯電話などの数字テンキーが挙げられる。
【００５８】
「複数リンク制御手段」１００５は、カーソル制御部が有しているものであり、入力を受付けたリンク数分先にカーソル位置を移動させる制御を行う。たとえば実施形態３で説明したようなカーソルキーの長押しや、カーソルキーとは別のキーなどの入力の前にカーソル位置の移動先のリンク数の入力を行い、その後に実施形態３で説明したようなトリガー入力を行ってもよい。具体的には、５つ先のリンクへとカーソル位置を移動させたい場合には、５＃と入力する。ここで、「＃」は、実施形態３で説明した入力トリガーとなるキーである。すると、表示部にて表示されるウェブページ上において５つ先のリンク部分にカーソル位置が移動することになる。なお、例えばリンク数分先にカーソルキーを移動させるモードにしておき、この場合に単にテンキーにてリンク数の入力を行うことでカーソル位置を移動させる制御を行ってもよい。
【００５９】
<実施形態４の処理の流れ>
【００６０】
図１１は、本実施形態における処理の流れの一例を示す図である。Ｓ１１０４とＳ１１０５を除く各ステップについては既に説明したものと同様である。Ｓ１１０４においては、カーソル位置の移動先のリンク数の入力を受け付けたかを判断する。例えば、実施形態３で説明したような入力トリガーの入力を受け付ける前に数値のキー入力があるか否かでリンク数の入力を受け付けたかを判断する。そして、Ｓ１１０４でカーソル位置の移動先のリンク数の入力を受け付けたと判断した場合には、Ｓ１１０５へと進み、入力を受け付けたリンク数分先にカーソル位置を移動させる制御を閲覧履歴情報に基づいて行う。
【００６１】
<実施形態４の効果>
【００６２】
本実施形態においては、カーソル位置の移動先のリンク数分の入力を受け付けて、閲覧履歴情報に基づくカーソル位置移動制御にさらに加えて複数のリンクをスキップさせることができるため、より一層迅速にリンク先へとカーソル位置を移動制御させることができる。
【００６３】
<<実施形態５>>
【００６４】
<実施形態５の概要>
【００６５】
本実施形態は、閲覧履歴情報の取り扱いに関するものであり、所定期間を経過したウェブページの閲覧履歴情報を無効とすることを特徴とするものである。
【００６６】
<実施形態５の構成>
【００６７】
図１２に本実施形態における機能ブロックの一例を示す。図１２に示す本実施形態の「携帯端末装置」（１２００）は、「ウェブページ情報取得部」（１２０１）と、「表示部」（１２０２）と、「閲覧履歴情報保持部」（１２０３）と、「カーソル制御部」（１２０４）と、を有する。閲覧履歴情報保持部１２０３は、「日時付閲覧履歴情報保持手段」（１２０５）と、「第一無効手段」（１２０６）と、を有する。日付付閲覧履歴情報保持手段１２０５と、第一無効手段１２０６と、を除く各構成については、実施形態１で説明したものと同様であるため、ここでの説明は省略する。また、実施形態２から４のいずれかで説明した構成を基本として、日付付閲覧履歴情報保持手段１２０５と、第一無効手段１２０６と、を有する構成を設けてもよい。
【００６８】
「日時付閲覧履歴情報保持手段」１２０５は、閲覧履歴情報保持部が有している構成であり、ウェブページの閲覧履歴情報と、閲覧した日時情報とを関連付けて保持する。図１３は、日時付閲覧履歴情報保持手段にて保持される閲覧履歴情報の一例を示す図である。図１３に示すように、例えば閲覧したウェブページのＵＲＬに関する情報と、そのウェブページを閲覧した時間がそれぞれ関連付けられて一対のレコードとして記録される。ここで、ウェブページを閲覧した時間を記録する代わりに、携帯端末が捕捉するＧＰＳなどの位置情報を記録する構成とし、特定の場所で閲覧履歴情報を有効または無効とする処理を行うことを可能としても良い。
【００６９】
「第一無効手段」１２０６は、閲覧履歴情報保持部が有している構成であり、所定期間を経過したウェブページの閲覧履歴情報を無効とする。例えば、図１３で説明したようなウェブページの閲覧日時と、現在時刻情報とを比較して、ウェブページを閲覧してから所定期間が経過した場合には、保持している情報の中から当該所定期間が経過したウェブページの閲覧履歴情報を削除する処理が行われる。なお、「所定期間」とは、ユーザが任意に設定可能な情報であってよく、例えば１週間、３日、１時間、５分など自由に設定することが可能である。
【００７０】
<実施形態５の処理の流れ>
【００７１】
図１４は、本実施形態における処理の流れの一例を示す図である。まず、ウェブページの閲覧履歴情報と、そのページを閲覧した日時情報とを関連付けて記録媒体に書き込む（Ｓ１４０１）。次に、所定期間を経過したウェブページの閲覧履歴情報を無効とする処理を行う（Ｓ１４０２）。なお、以上の処理は、実施形態１から４のいずれかで説明した処理の流れと並行して行われても良いし、別個のプロセスとして実行されてもよい。
【００７２】
<<実施形態６>>
【００７３】
<実施形態６の概要>
【００７４】
本実施形態は、例えばウェブログ（ブログ）として活用されているＲＳＳ（Really Simple Syndication, RDF Site Summary）のようなページの要約部分の更新情報を取得し、その更新日時と閲覧した日時情報とを比較して閲覧履歴情報を無効とする処理を行うことを特徴とするものである。
【００７５】
<実施形態６の構成>
【００７６】
図１５に本実施形態における機能ブロックの一例を示す。図１５に示す本実施形態の「携帯端末装置」（１５００）は、「ウェブページ情報取得部」（１５０１）と、「表示部」（１５０２）と、「閲覧履歴情報保持部」（１５０３）と、「カーソル制御部」（１５０４）と、「更新情報取得部」１５０７と、を有する。閲覧履歴情報保持部１５０３は、「日時付閲覧履歴情報保持手段」（１５０５）と、「第二無効手段」（１５０６）と、を有する。日付付閲覧履歴情報保持手段１５０５と、第二無効手段１５０６と、更新情報取得部１５０７と、を除く各構成については、実施形態１で説明したものと同様であるため、ここでの説明は省略する。また、実施形態２から５のいずれかで説明した構成を基本として、日付付閲覧履歴情報保持手段１５０５と、第二無効手段１５０６と、更新情報取得部１５０７と、を有する構成を設けてもよい。なお、日時付閲覧履歴情報保持手段については、実施形態５で説明済みであるため、ここでの説明は省略する。
【００７７】
「更新情報取得部」１５０７は、ウェブページの更新日時情報を含むウェブページ更新情報を取得する。ウェブページ更新情報とは、例えば事前に登録したウェブページの更新日時を巡回チェックするソフトウェアなどを用いてウェブページの更新日時情報を含むウェブページ更新情報を取得する。ウェブページ更新情報は、例えば近年多用されているＲＳＳを利用した情報であってもよい。ＲＳＳとは、ウェブページの見出しや要約部分などを記述するＸＭＬベースのフォーマットであり、ウェブページの更新情報を収集する際に利用されるものである。
【００７８】
「第二無効手段」１５０６は、日時付閲覧履歴情報と、ウェブページ更新情報と、を比較してウェブページ更新情報の方が新しい場合にはそのウェブページの閲覧履歴情報を無効とする。すなわち、過去に閲覧したウェブページＡについての情報が閲覧履歴情報として記憶媒体に記憶されている場合において、ウェブページ更新情報の方が過去に閲覧した日時よりも新しい場合には、当該更新されたウェブページについてはユーザは閲覧していないことになる。このため、そのウェブページの閲覧履歴情報を無効とする処理が行われる。なお、無効処理については、実施形態５で説明したものと同様であるため、説明は省略する。
【００７９】
<実施形態６の処理の流れ>
【００８０】
図１６は、本実施形態における処理の流れの一例を示す図である。Ｓ１６０１については、実施形態５で説明したものと同様であるため、ここでの説明は省略する。Ｓ１６０２においては、ウェブページ更新情報を取得する。ウェブページの更新情報取得処理については、ウェブページの取得処理と同様にネットワークＩ／Ｆなどを通じてインターネットなどから情報を取得する。なお、このウェブページ更新情報の取得処理については、ウェブページの取得処理とは別個に行うことができる。
【００８１】
次に、日時付の閲覧履歴情報と、ウェブページ更新情報とを比較する（Ｓ１６０３）。具体的にはあるウェブページについて、閲覧した際の日時情報と、ウェブページ更新情報の日時情報とを比較する。そして、Ｓ１６０４に進み、ウェブページ更新情報の方が新しいかを判断する（Ｓ１６０４）。Ｓ１６０４にて、ウェブページ更新情報の方が新しいと判断した場合には、Ｓ１６０５に進み、そのウェブページの閲覧履歴情報を無効とする処理を行う。以上の処理を、例えばウェブページ更新情報を取得する毎に行う。
【００８２】
<実施形態６の効果>
【００８３】
本実施形態においては、ウェブページ更新情報を取得し、閲覧したウェブページの日時情報と比較してウェブページ更新情報の方が新しい場合には、そのウェブページの閲覧履歴情報を無効とすることで、過去に閲覧したウェブページであっても未閲覧の状態にすることができるため、カーソル位置の移動制御の際の利便性をより一層向上させることができる。
【図面の簡単な説明】
【００８４】
【図１】実施形態１の機能ブロック図
【図２】閲覧履歴情報の一例を示す図
【図３】携帯端末装置の表示画面の一例を示す図
【図４】実施形態１の処理の流れを説明する図
【図５】実施形態１の具体的な構成例を示す図
【図６】実施形態２の機能ブロック図
【図７】実施形態２の表示画面の一例を示す図
【図８】実施形態２の処理の流れを説明する図
【図９】携帯端末装置のユーザ入力インタフェースの一例を示す図
【図１０】実施形態４の機能ブロック図
【図１１】実施形態４の処理の流れを説明する図
【図１２】実施形態５の機能ブロック図
【図１３】日時付閲覧履歴情報の一例を示す図
【図１４】実施形態５の処理の流れを説明する図
【図１５】実施形態６の機能ブロック図
【図１６】実施形態６の処理の流れを示す図
【符号の説明】
【００８５】
０１００    携帯端末装置
０１０１    ウェブページ情報取得部
０１０２    表示部
０１０３    閲覧履歴情報保持部
０１０４    カーソル制御部
【図１】
2009059142.tif 000003
【図２】
2009059142.tif 000004
【図３】
2009059142.tif 000005
【図４】
2009059142.tif 000006
【図５】
2009059142.tif 000007
【図６】
2009059142.tif 000008
【図７】
2009059142.tif 000009
【図８】
2009059142.tif 000010
【図９】
2009059142.tif 000011
【図１０】
2009059142.tif 000012
【図１１】
2009059142.tif 000013
【図１２】
2009059142.tif 000014
【図１３】
2009059142.tif 000015
【図１４】
2009059142.tif 000016
【図１５】
2009059142.tif 000017
【図１６】
2009059142.tif 000018